(57)【要約】【課題】本発明はタイムレコーダー付き読書ライトを開示した。【解決手段】台座を含み、前記台座の上端には取付けブロックが固定的に連結され、前記取付けブロックの中には駆動装置とタイムレコーダー装置とが設置され、前記取付けブロックの右側には前記台座に固定的に連結される固定ロッドが設置され、前記固定ロッドの上端には振れロッドが回転できるように設置され、本発明の構造が簡単であり、操作が便利であり、手動で定時しまた自動的に明かりを消すことができ、学生に休みをとるように注意し、長時間の使用を避け、そして手動で照明の散乱度を調節でき、またライトスタンドの角度を変えて、快適な照明条件で本を読むことができる。【選択図】図１
2020181796.tif 000002
【特許請求の範囲】
【請求項１】
正面視で、台座を含み、前記台座の上端には取付けブロックが固定的に連結され、前記取付けブロックの中には駆動装置とタイムレコーダー装置とが設置され、前記取付けブロックの右側には前記台座に固定的に連結される固定ロッドが設置され、前記固定ロッドの上端には振れロッドが回転できるように設置され、前記固定ロッドと前記振れロッドとの間が回転装置により連結され、前記振れロッドの上端には照明装置が連結され、前記駆動装置は前記取付けブロックの中に設置されて下方に開口している伝動チャンバを含み、前記伝動チャンバの前後内壁の間には上固定軸が回転できるように連結され、前記上固定軸には上鎖歯車が固定的に連結され、前記上鎖歯の下側には下鎖歯車が回転できるように設置され、前記下鎖歯車と前記上鎖歯車との間にはチェーンが連結され、前記チェーンの外側端面には径路が排列するように分布されている六十個の数字板が固定的に連結され、前記下鎖歯車の中には下固定軸が固定的に連結され、前記下鎖歯車の前端には前記下固定軸に固定的に連結される大歯車が設置され、前記台座の中には上方に開口している連通溝が設置され、前記連通溝の中には小歯車が回転できるように設置され、前記小歯車の上端が前記大歯車に噛み合っており、前記小歯車の中には短軸が固定的に連結され、前記小歯車の前側には前記短軸に固定的に連結されるウォーム歯車が設置され、前記連通溝の下側内壁の中にはウォーム溝が連通するように設置され、前記ウォーム溝の左右両側内壁の間にはウォームが回転できるように連結され、前記ウォーム歯車の下端が前記ウォームに噛み合っており、前記ウォーム溝の右側内壁の中にはモーターが固定的に設置され、前記ウォームの右端が前記モーターに伝動できるように連結され、前記駆動装置が前記タイムレコーダー装置を駆動できることを特徴とするタイムレコーダー付き読書ライト。
【請求項２】
前記タイムレコーダー装置は前記チェーンの後端に固定的に連結される接触ブロックを含み、前記接触ブロックの後端には周期輪が回転できるように設置され、前記周期輪が前記伝動チャンバの左右内壁の間に連結され、前記周期輪の上側には二つの導線輪が回転できるように設置され、前記伝動チャンバの後側内壁の中にはカンチレバー軸が回転できるように設置され、前記カンチレバー軸の前端が前記伝動チャンバの中に伸びており、且つ前記カンチレバー軸の前端には連結線が巻かれ、前記連結線のもう一端が二つの前記導線輪の案内により前記周期輪に巻かれ、前記カンチレバー軸の後端が外部に伸びており、且つ前記カンチレバー軸の後端には連結輪が固定的に連結され、前記連結輪の下端には指示ブロックが固定的に連結され、前記取付けブロックの後端面の中には電気伝導ブロックが固定的に設置され、前記タイムレコーダー装置が前記照明装置をタイミングオフできることを特徴とする請求項１に記載のタイムレコーダー付き読書ライト。
【請求項３】
前記照明装置は前記振れロッドの上端に固定的に連結される固定ブロックを含み、前記固定ブロックの中には左方に開口しているスライドブロックチャンバが設置され、前記スライドブロックチャンバの中にはスライドブロックがスライドできるように設置され、前記スライドブロックの左端には電球が固定的に連結され、前記スライドブロックの中には右方に開口しているねじ山孔が設置、前記ねじ山孔の中にはねじ山ロッドがねじ山により連結され、前記ねじ山ロッドの右端が外部に伸びており、且つ、前記ねじ山ロッドの右端には回転輪が固定的に連結され、前記固定ブロックの左端には集光カバーが固定的に連結され、前記集光カバーの中には電球チャンバが左右に貫通するように設置され、前記電球が前記電球チャンバの中に位置しており、前記照明装置が明かりの散乱度を調節できることを特徴とする請求項２に記載のタイムレコーダー付き読書ライト。
【請求項４】
前記回転装置は前記固定ロッドの中に左右に貫通するように設置される上方に開口している連結溝を含み、前記連結溝の中にはローラーが回転できるように設置され、前記ローラーの前後両端が前記連結溝の前後両側内壁に当接しており、前記ローラーの中にはクラッチチャンバが設置され、前記クラッチチャンバの前後両側内壁の中には後ろ合わせの噛合溝が対称的に且つ連通するように設置され、前記噛合溝の中にはラチェットが噛み合って連結され、前記ラチェットのうち対称中心から離れている一端には連結ロッドが回転できるように連結され、前記連結ロッドのうち対称中心から離れている一端が外部に伸びており、前記連結ロッドのうち対称中心から離れている一端には押しブロックが固定的に連結され、前記ラチェットのうち対称中心から離れている一端と前記連結溝の前後両側内壁との間にはバネが固定的に連結され、前記回転装置が前記振れロッドの回転角度を制御できることを特徴とする請求項３に記載のタイムレコーダー付き読書ライト。
【請求項５】
前記台座の中にはバッテリーが固定的に設置され、前記台座の右端には電気伝導線が固定的に連結され、前記電気伝導線の右端にはプラグが通電できるように連結され、前記電気伝導線が前記バッテリーに通電できるように連結され、前記伝動チャンバの左側内壁の中にはガラスが固定的に設置され、前記バッテリーが前記モーターと前記電球とに電気エネルギーを提供でき、前記指示ブロックが前記電気伝導ブロックと接触する時に前記バッテリーを切ることができることを特徴とする請求項４に記載のタイムレコーダー付き読書ライト。
【発明の詳細な説明】
【技術分野】
【０００１】
本発明は文具分野に関わり、具体的にはタイムレコーダー付き読書ライトである。
【背景技術】
【０００２】
今の学生は学業が厳しくて、近視の学生が増えており、一番の原因は目の使いすぎで、長い時間の勉強と読書をしているせいで、学生の目が休まなく、それで、手動で定時し且つ自動的に明かりを消すことができるタイムレコーダー付き読書ライトを設計する必要があり、本装置は手動で定時し且つ自動的に明かりを消すことができり、学生に休みをとるように注意し、長時間の使用を避け、そして手動で照明の散乱度を調節でき、またライトスタンドの角度を変えて、快適な照明条件で本を読むことができる。
【先行技術文献】
【特許文献】
【０００３】
【特許文献１】中国特許出願公開第１０５００３８７８号明細書
【発明の概要】
【発明が解決しようとする課題】
【０００４】
本発明はタイムレコーダー付き読書ライトを提供し、既存技術にある上記の欠点を解消することを目的とする。
【課題を解決するための手段】
【０００５】
本発明のタイムレコーダー付き読書ライトは、台座を含み、前記台座の上端には取付けブロックが固定的に連結され、前記取付けブロックの中には駆動装置とタイムレコーダー装置とが設置され、前記取付けブロックの右側には前記台座に固定的に連結される固定ロッドが設置され、前記固定ロッドの上端には振れロッドが回転できるように設置され、前記固定ロッドと前記振れロッドとの間が回転装置により連結され、前記振れロッドの上端には照明装置が連結され、前記駆動装置は前記取付けブロックの中に設置されて下方に開口している伝動チャンバを含み、前記伝動チャンバの前後内壁の間には上固定軸が回転できるように連結され、前記上固定軸には上鎖歯車が固定的に連結され、前記上鎖歯車の下側には下鎖歯車が回転できるように設置され、前記下鎖歯車と前記上鎖歯車との間にはチェーンが連結され、前記チェーンの外側端面には径路が排列するように分布されている六十個の数字板が固定的に連結され、前記下鎖歯車の中には下固定軸が固定的に連結され、前記下鎖歯車の前端には前記下固定軸に固定的に連結される大歯車が設置され、前記台座の中には上方に開口している連通溝が設置され、前記連通溝の中には小歯車が回転できるように設置され、前記小歯車の上端が前記大歯車に噛み合っており、前記小歯車の中には短軸が固定的に連結され、前記小歯車の前側には前記短軸に固定的に連結されるウォーム歯車が設置され、前記連通溝の下側内壁の中にはウォーム溝が連通するように設置され、前記ウォーム溝の左右両側内壁の間にはウォームが回転できるように連結され、前記ウォーム歯車の下端が前記ウォームに噛み合っており、前記ウォーム溝の右側内壁の中にはモーターが固定的に設置され、前記ウォームの右端が前記モーターに伝動できるように連結され、前記駆動装置が前記タイムレコーダー装置を駆動できる。
【０００６】
有益的には、前記タイムレコーダー装置は前記チェーンの後端に固定的に連結される接触ブロックを含み、前記接触ブロックの後端には周期輪が回転できるように設置され、前記周期輪が前記伝動チャンバの左右内壁の間に連結され、前記周期輪の上側には二つの導線輪が回転できるように設置され、前記伝動チャンバの後側内壁の中にはカンチレバー軸が回転できるように設置され、前記カンチレバー軸の前端が前記伝動チャンバの中に伸びており、且つ前記カンチレバー軸の前端には連結線が巻かれ、前記連結線のもう一端が二つの前記導線輪の案内により前記周期輪に巻かれ、前記カンチレバー軸の後端が外部に伸びており、且つ前記カンチレバー軸の後端には連結輪が固定的に連結され、前記連結輪の下端には指示ブロックが固定的に連結され、前記取付けブロックの後端面の中には電気伝導ブロックが固定的に設置され、前記タイムレコーダー装置が前記照明装置をタイミングオフできる。
【０００７】
有益的には、前記照明装置は前記振れロッドの上端に固定的に連結される固定ブロックを含み、前記固定ブロックの中には左方に開口しているスライドブロックチャンバが設置され、前記スライドブロックチャンバの中にはスライドブロックがスライドできるように設置され、前記スライドブロックの左端には電球が固定的に連結され、前記スライドブロックの中には右方に開口しているねじ山孔が設置、前記ねじ山孔の中にはねじ山ロッドがねじ山により連結され、前記ねじ山ロッドの右端が外部に伸びており、且つ、前記ねじ山ロッドの右端には回転輪が固定的に連結され、前記固定ブロックの左端には集光カバーが固定的に連結され、前記集光カバーの中には電球チャンバが左右に貫通するように設置され、前記電球が前記電球チャンバの中に位置しており、前記照明装置が明かりの散乱度を調節できる。
【０００８】
有益的には、前記回転装置は前記固定ロッドの中に左右に貫通するように設置される上方に開口している連結溝を含み、前記連結溝の中にはローラーが回転できるように設置され、前記ローラーの前後両端が前記連結溝の前後両側内壁に当接しており、前記ローラーの中にはクラッチチャンバが設置され、前記クラッチチャンバの前後両側内壁の中には後ろ合わせの噛合溝が対称的に且つ連通するように設置され、前記噛合溝の中にはラチェットが噛み合って連結され、前記ラチェットのうち対称中心から離れている一端には連結ロッドが回転できるように連結され、前記連結ロッドのうち対称中心から離れている一端が外部に伸びており、前記連結ロッドのうち対称中心から離れている一端には押しブロックが固定的に連結され、前記ラチェットのうち対称中心から離れている一端と前記連結溝の前後両側内壁との間にはバネが固定的に連結され、前記回転装置が前記振れロッドの回転角度を制御できる。
【０００９】
有益的には、前記台座の中にはバッテリーが固定的に設置され、前記台座の右端には電気伝導線が固定的に連結され、前記電気伝導線の右端にはプラグが通電できるように連結され、前記電気伝導線が前記バッテリーに通電できるように連結され、前記伝動チャンバの左側内壁の中にはガラスが固定的に設置され、前記バッテリーが前記モーターと前記電球とに電気エネルギーを提供でき、前記指示ブロックが前記電気伝導ブロックと接触する時に前記バッテリーを切ることができる。
【発明の効果】
【００１０】
有益的な効果は：本発明の構造が簡単であり、操作が便利であり、手動で定時しまた自動的に明かりを消すことができ、学生に休みをとるように注意し、長時間の使用を避け、そして手動で照明の散乱度を調節でき、またライトスタンドの角度を変えて、快適な照明条件で本を読むことができる。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のタイムレコーダー付き読書ライトの内部構造略図
【図２】図２は図１におけるの「Ａ」の拡大構造図
【図３】図３は図１における「Ｂ〜Ｂ」方向の構造略図
【図４】図４は図２における「Ｃ〜Ｃ」方向の構造略図
【発明を実施するための形態】
【００１３】
図１〜４を参考し、本発明のタイムレコーダー付き読書ライトは、台座１１を含み、前記台座１１の上端には取付けブロック３８が固定的に連結され、前記取付けブロック３８の中には駆動装置１００とタイムレコーダー装置１０１とが設置され、前記取付けブロック３８の右側には前記台座１１に固定的に連結される固定ロッド１６が設置され、前記固定ロッド１６の上端には振れロッド２１が回転できるように設置され、前記固定ロッド１６と前記振れロッド２１との間が回転装置１０３により連結され、前記振れロッド２１の上端には照明装置１０２が連結され、前記駆動装置１００は前記取付けブロック３８の中に設置されて下方に開口している伝動チャンバ３７を含み、前記伝動チャンバ３７の前後内壁の間には上固定軸３６が回転できるように連結され、前記上固定軸３６には上鎖歯車３９が固定的に連結され、前記上鎖歯車３９の下側には下鎖歯車５１が回転できるように設置され、前記下鎖歯車５１と前記上鎖歯車３９との間にはチェーン４０が連結され、前記チェーン４０の外側端面には径路が排列するように分布されている六十個の数字板４１が固定的に連結され、前記下鎖歯車５１の中には下固定軸３４が固定的に連結され、前記下鎖歯車５１の前端には前記下固定軸３４に固定的に連結される大歯車４２が設置され、前記台座１１の中には上方に開口している連通溝４４が設置され、前記連通溝４４の中には小歯車５８が回転できるように設置され、前記小歯車５８の上端が前記大歯車４２に噛み合っており、前記小歯車５８の中には短軸３３が固定的に連結され、前記小歯車５８の前側には前記短軸３３に固定的に連結されるウォーム歯車４３が設置され、前記連通溝４４の下側内壁の中にはウォーム溝３１が連通するように設置され、前記ウォーム溝３１の左右両側内壁の間にはウォーム３２が回転できるように連結され、前記ウォーム歯車４３の下端が前記ウォーム３２に噛み合っており、前記ウォーム溝３１の右側内壁の中にはモーター１３が固定的に設置され、前記ウォーム３２の右端が前記モーター１３に伝動できるように連結され、前記駆動装置１００が前記タイムレコーダー装置１０１を駆動できる。
【００１４】
有益的には、前記タイムレコーダー装置１０１は前記チェーン４０の後端に固定的に連結される接触ブロック４９を含み、前記接触ブロック４９の後端には周期輪５０が回転できるように設置され、前記周期輪５０が前記伝動チャンバ３７の左右内壁の間に連結され、前記周期輪５０の上側には二つの導線輪５６が回転できるように設置され、前記伝動チャンバ３７の後側内壁の中にはカンチレバー軸５３が回転できるように設置され、前記カンチレバー軸５３の前端が前記伝動チャンバ３７の中に伸びており、且つ前記カンチレバー軸５３の前端には連結線５７が巻かれ、前記連結線５７のもう一端が二つの前記導線輪５６の案内により前記周期輪５０に巻かれ、前記カンチレバー軸５３の後端が外部に伸びており、且つ前記カンチレバー軸５３の後端には連結輪５４が固定的に連結され、前記連結輪５４の下端には指示ブロック５２が固定的に連結され、前記取付けブロック３８の後端面の中には電気伝導ブロック５５が固定的に設置され、前記タイムレコーダー装置１０１が前記照明装置１０２をタイミングオフできる。
【００１５】
有益的には、前記照明装置１０２は前記振れロッド２１の上端に固定的に連結される固定ブロック２８を含み、前記固定ブロック２８の中には左方に開口しているスライドブロックチャンバ２６が設置され、前記スライドブロックチャンバ２６の中にはスライドブロック２７がスライドできるように設置され、前記スライドブロック２７の左端には電球２９が固定的に連結され、前記スライドブロック２７の中には右方に開口しているねじ山孔２３が設置、前記ねじ山孔２３の中にはねじ山ロッド２５がねじ山により連結され、前記ねじ山ロッド２５の右端が外部に伸びており、且つ、前記ねじ山ロッド２５の右端には回転輪２４が固定的に連結され、前記固定ブロック２８の左端には集光カバー３０が固定的に連結され、前記集光カバー３０の中には電球チャンバ２２が左右に貫通するように設置され、前記電球２９が前記電球チャンバ２２の中に位置しており、前記照明装置１０２が明かりの散乱度を調節できる。
【００１６】
有益的には、前記回転装置１０３は前記固定ロッド１６の中に左右に貫通するように設置される上方に開口している連結溝１７を含み、前記連結溝１７の中にはローラー１８が回転できるように設置され、前記ローラー１８の前後両端が前記連結溝１７の前後両側内壁に当接しており、前記ローラー１８の中にはクラッチチャンバ１９が設置され、前記クラッチチャンバ１９の前後両側内壁の中には後ろ合わせの噛合溝２０が対称的に且つ連通するように設置され、前記噛合溝２０の中にはラチェット４５が噛み合って連結され、前記ラチェット４５のうち対称中心から離れている一端には連結ロッド４８が回転できるように連結され、前記連結ロッド４８のうち対称中心から離れている一端が外部に伸びており、前記連結ロッド４８のうち対称中心から離れている一端には押しブロック４７が固定的に連結され、前記ラチェット４５のうち対称中心から離れている一端と前記連結溝１７の前後両側内壁との間にはバネ４６が固定的に連結され、前記回転装置１０３が前記振れロッド２１の回転角度を制御できる。
【００１７】
有益的には、前記台座１１の中にはバッテリー１２が固定的に設置され、前記台座１１の右端には電気伝導線１４が固定的に連結され、前記電気伝導線１４の右端にはプラグ１５が通電できるように連結され、前記電気伝導線１４が前記バッテリー１２に通電できるように連結され、前記伝動チャンバ３７の左側内壁の中にはガラス３５が固定的に設置され、前記バッテリー１２が前記モーター１３と前記電球２９とに電気エネルギーを提供でき、前記指示ブロック５２が前記電気伝導ブロック５５と接触する時に前記バッテリー１２を切ることができる。
【００１８】
使用する時に、プラグ１５によりコンセントと連結され、電気伝導線１４によりバッテリー１２に充電し、同時に連結輪５４を回転させて指示ブロック５２を電気伝導ブロック５５から離脱させ、その時バッテリー１２がモーター１３と電球２９とに電気を伝導し、それによりモーター１３を起動し電球２９をつけ、それによりモーター１３がウォーム３２を回転連動させ、それによりウォーム歯車４３を回転連動させ、それにより短軸３３により小歯車５８を回転連動させ、それにより大歯車４２と下固定軸３４により下鎖歯車５１を回転連動させ、それによりチェーン４０をスライド連動させ、それにより数字板４１を同期にスライド連動させ、ウォーム歯車とウォームおよび歯車伝動により二回の減速を行い、チェーン４０のスライドサイクルを六十分にし、ガラス３５により数字板４１にある数字を見て経過した時間を知り、チェーン４０がスライドすると同時に接触ブロック４９をスライド連動させ、接触ブロック４９が一周スライドするたびに、周期輪５０を一回押し、また周期輪５０が毎回回転する角度は九十度であり、周期輪５０が連結線５７を引き動かし、それによりカンチレバー軸５３を回転連動させ、それにより連結輪５４と指示ブロック５２とをを回転連動させ、指示ブロック５２が電気伝導ブロック５５と接触する時にバッテリー１２を切り、周期輪５０の回転周期がカンチレバー軸５３の回転周期と一致しているため、タイミングの最大時間は四時間となり、振れロッド２１の角度を調整する時に、押しブロック４７を押し、それによりラチェット４５を連動させて噛合溝２０から離脱させ、その時振れロッド２１を回転させることができり、押しブロック４７を放し、バネ４６の弾性作用のもとでラチェット４５を連動させて再び噛合溝２０と噛み合い、振れロッド２１が自動的に回転することを防ぎ、明かりの散乱度を調整する時に、回転輪２４を回転させ、それによりねじ山ロッド２５を回転連動させ、それによりスライドブロック２７をスライド連動させ、それにより電球２９をスライド連動させ、それにより電球２９が電球チャンバ２２の中にある位置を調整して散乱度を調整する。
【００１９】
有益的な効果は：本発明の構造が簡単であり、操作が便利であり、手動で定時しまた自動的に明かりを消すことができ、学生に休みをとるように注意し、長時間の使用を避け、そして手動で照明の散乱度を調節でき、またライトスタンドの角度を変えて、快適な照明条件で本を読むことができる。
【００２０】
本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020181796.tif 000003
【図２】
2020181796.tif 000004
【図３】
2020181796.tif 000005
【図４】
2020181796.tif 000006
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
正面視で、台座を含み、前記台座の上端には取付けブロックが固定的に連結され、前記取付けブロックの中には駆動装置とタイムレコーダー装置とが設置され、前記取付けブロックの右側には前記台座に固定的に連結される固定ロッドが設置され、前記固定ロッドの上端には振れロッドが回転できるように設置され、前記固定ロッドと前記振れロッドとの間が回転装置により連結され、前記振れロッドの上端には照明装置が連結され、前記駆動装置は前記取付けブロックの中に設置されて下方に開口している伝動チャンバを含み、前記伝動チャンバの前後内壁の間には上固定軸が回転できるように連結され、前記上固定軸には上鎖歯車が固定的に連結され、前記上鎖歯の下側には下鎖歯車が回転できるように設置され、前記下鎖歯車と前記上鎖歯車との間にはチェーンが連結され、前記チェーンの外側端面には径路が排列するように分布されている六十個の数字板が固定的に連結され、前記下鎖歯車の中には下固定軸が固定的に連結され、前記下鎖歯車の前端には前記下固定軸に固定的に連結される大歯車が設置され、前記台座の中には上方に開口している連通溝が設置され、前記連通溝の中には小歯車が回転できるように設置され、前記小歯車の上端が前記大歯車に噛み合っており、前記小歯車の中には短軸が固定的に連結され、前記小歯車の前側には前記短軸に固定的に連結されるウォーム歯車が設置され、前記連通溝の下側内壁の中にはウォーム溝が連通するように設置され、前記ウォーム溝の左右両側内壁の間にはウォームが回転できるように連結され、前記ウォーム歯車の下端が前記ウォームに噛み合っており、前記ウォーム溝の右側内壁の中にはモーターが固定的に設置され、前記ウォームの右端が前記モーターに伝動できるように連結され、前記駆動装置が前記タイムレコーダー装置を駆動でき、
前記タイムレコーダー装置は前記チェーンの後端に固定的に連結される接触ブロックを含み、前記接触ブロックの後端には周期輪が回転できるように設置され、前記周期輪が前記伝動チャンバの左右内壁の間に連結され、前記周期輪の上側には二つの導線輪が回転できるように設置され、前記伝動チャンバの後側内壁の中にはカンチレバー軸が回転できるように設置され、前記カンチレバー軸の前端が前記伝動チャンバの中に伸びており、且つ前記カンチレバー軸の前端には連結線が巻かれ、前記連結線のもう一端が二つの前記導線輪の案内により前記周期輪に巻かれ、前記カンチレバー軸の後端が外部に伸びており、且つ前記カンチレバー軸の後端には連結輪が固定的に連結され、前記連結輪の下端には指示ブロックが固定的に連結され、前記取付けブロックの後端面の中には電気伝導ブロックが固定的に設置され、前記タイムレコーダー装置が前記照明装置をタイミングオフでき、
前記照明装置は前記振れロッドの上端に固定的に連結される固定ブロックを含み、前記固定ブロックの中には左方に開口しているスライドブロックチャンバが設置され、前記スライドブロックチャンバの中にはスライドブロックがスライドできるように設置され、前記スライドブロックの左端には電球が固定的に連結され、前記スライドブロックの中には右方に開口しているねじ山孔が設置、前記ねじ山孔の中にはねじ山ロッドがねじ山により連結され、前記ねじ山ロッドの右端が外部に伸びており、且つ、前記ねじ山ロッドの右端には回転輪が固定的に連結され、前記固定ブロックの左端には集光カバーが固定的に連結され、前記集光カバーの中には電球チャンバが左右に貫通するように設置され、前記電球が前記電球チャンバの中に位置しており、前記照明装置が明かりの散乱度を調節でき、
前記回転装置は前記固定ロッドの中に左右に貫通するように設置される上方に開口している連結溝を含み、前記連結溝の中にはローラーが回転できるように設置され、前記ローラーの前後両端が前記連結溝の前後両側内壁に当接しており、前記ローラーの中にはクラッチチャンバが設置され、前記クラッチチャンバの前後両側内壁の中には後ろ合わせの噛合溝が対称的に且つ連通するように設置され、前記噛合溝の中にはラチェットが噛み合って連結され、前記ラチェットのうち対称中心から離れている一端には連結ロッドが回転できるように連結され、前記連結ロッドのうち対称中心から離れている一端が外部に伸びており、前記連結ロッドのうち対称中心から離れている一端には押しブロックが固定的に連結され、前記ラチェットのうち対称中心から離れている一端と前記連結溝の前後両側内壁との間にはバネが固定的に連結され、前記回転装置が前記振れロッドの回転角度を制御できることを特徴とするタイムレコーダー付き読書ライト。
【請求項２】
前記台座の中にはバッテリーが固定的に設置され、前記台座の右端には電気伝導線が固定的に連結され、前記電気伝導線の右端にはプラグが通電できるように連結され、前記電気伝導線が前記バッテリーに通電できるように連結され、前記伝動チャンバの左側内壁の中にはガラスが固定的に設置され、前記バッテリーが前記モーターと前記電球とに電気エネルギーを提供でき、前記指示ブロックが前記電気伝導ブロックと接触する時に前記バッテリーを切ることができることを特徴とする請求項１に記載のタイムレコーダー付き読書ライト。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
正面視で、台座を含み、前記台座の上端には取付けブロックが固定的に連結され、前記取付けブロックの中には駆動装置とタイムレコーダー装置とが設置され、前記取付けブロックの右側には前記台座に固定的に連結される固定ロッドが設置され、前記固定ロッドの上端には振れロッドが回転できるように設置され、前記固定ロッドと前記振れロッドとの間が回転装置により連結され、前記振れロッドの上端には照明装置が連結され、前記駆動装置は前記取付けブロックの中に設置されて下方に開口している伝動チャンバを含み、前記伝動チャンバの前後内壁の間には上固定軸が回転できるように連結され、前記上固定軸には上鎖歯車が固定的に連結され、前記上鎖歯の下側には下鎖歯車が回転できるように設置され、前記下鎖歯車と前記上鎖歯車との間にはチェーンが連結され、前記チェーンの外側端面には径路が排列するように分布されている六十個の数字板が固定的に連結され、前記下鎖歯車の中には下固定軸が固定的に連結され、前記下鎖歯車の前端には前記下固定軸に固定的に連結される大歯車が設置され、前記台座の中には上方に開口している連通溝が設置され、前記連通溝の中には小歯車が回転できるように設置され、前記小歯車の上端が前記大歯車に噛み合っており、前記小歯車の中には短軸が固定的に連結され、前記小歯車の前側には前記短軸に固定的に連結されるウォーム歯車が設置され、前記連通溝の下側内壁の中にはウォーム溝が連通するように設置され、前記ウォーム溝の左右両側内壁の間にはウォームが回転できるように連結され、前記ウォーム歯車の下端が前記ウォームに噛み合っており、前記ウォーム溝の右側内壁の中にはモーターが固定的に設置され、前記ウォームの右端が前記モーターに伝動できるように連結され、前記駆動装置が前記タイムレコーダー装置を駆動でき、
前記タイムレコーダー装置は前記チェーンの後端に固定的に連結される接触ブロックを含み、前記接触ブロックの後端には周期輪が回転できるように設置され、前記周期輪が前記伝動チャンバの左右内壁の間に連結され、前記周期輪の上側には二つの導線輪が回転できるように設置され、前記伝動チャンバの後側内壁の中にはカンチレバー軸が回転できるように設置され、前記カンチレバー軸の前端が前記伝動チャンバの中に伸びており、且つ前記カンチレバー軸の前端には連結線が巻かれ、前記連結線のもう一端が二つの前記導線輪の案内により前記周期輪に巻かれ、前記カンチレバー軸の後端が外部に伸びており、且つ前記カンチレバー軸の後端には連結輪が固定的に連結され、前記連結輪の下端には指示ブロックが固定的に連結され、前記取付けブロックの後端面の中には電気伝導ブロックが固定的に設置され、前記タイムレコーダー装置が前記照明装置をタイミングオフでき、
前記照明装置は前記振れロッドの上端に固定的に連結される固定ブロックを含み、前記固定ブロックの中には左方に開口しているスライドブロックチャンバが設置され、前記スライドブロックチャンバの中にはスライドブロックがスライドできるように設置され、前記スライドブロックの左端には電球が固定的に連結され、前記スライドブロックの中には右方に開口しているねじ山孔が設置、前記ねじ山孔の中にはねじ山ロッドがねじ山により連結され、前記ねじ山ロッドの右端が外部に伸びており、且つ、前記ねじ山ロッドの右端には回転輪が固定的に連結され、前記固定ブロックの左端には集光カバーが固定的に連結され、前記集光カバーの中には電球チャンバが左右に貫通するように設置され、前記電球が前記電球チャンバの中に位置しており、前記照明装置が明かりの散乱度を調節でき、
前記回転装置は前記固定ロッドの中に左右に貫通するように設置される上方に開口している連結溝を含み、前記連結溝の中にはローラーが回転できるように設置され、前記ローラーの前後両端が前記連結溝の前後両側内壁に当接しており、前記ローラーの中にはクラッチチャンバが設置され、前記クラッチチャンバの前後両側内壁の中には後ろ合わせの噛合溝が対称的に且つ連通するように設置され、前記噛合溝の中にはラチェットが噛み合って連結され、前記ラチェットのうち対称中心から離れている一端には連結ロッドが回転できるように連結され、前記連結ロッドのうち対称中心から離れている一端が外部に伸びており、前記連結ロッドのうち対称中心から離れている一端には押しブロックが固定的に連結され、前記ラチェットのうち対称中心から離れている一端と前記連結溝の前後両側内壁との間にはバネが固定的に連結され、前記回転装置が前記振れロッドの回転角度を制御でき、
前記台座の中にはバッテリーが固定的に設置され、前記台座の右端には電気伝導線が固定的に連結され、前記電気伝導線の右端にはプラグが通電できるように連結され、前記電気伝導線が前記バッテリーに通電できるように連結され、前記伝動チャンバの左側内壁の中にはガラスが固定的に設置され、前記バッテリーが前記モーターと前記電球とに電気エネルギーを提供でき、前記指示ブロックが前記電気伝導ブロックと接触する時に前記バッテリーを切ることができることを特徴とするタイムレコーダー付き読書ライト。